(57)【要約】【課題】しっぽが毛深くない動物であっても、過度に締め付けることなく、温度計を腸内の定位置にしっかりと保持することができ、動物に与える違和感や痛みを抑えつつ、正確で精度のよい測定を安全に行うことができる動物腸内温度測定装置を提供せんとする。【解決手段】しっぽを有する動物の肛門から腸内に先端側の測温部２０が挿入され、腸内温度を測定するシース型温度計２と、該動物のしっぽに装着されるコイルばね３であって、シース型温度計２の前記挿入される領域Ｒ１よりも基端側の所定の位置２１に、しっぽ根元側となる端部３１が連結されるコイルばね３とより構成した。【選択図】図２
2018088857.tif 000002
【特許請求の範囲】
【請求項１】
しっぽを有する動物の肛門から腸内に先端側の測温部が挿入され、腸内温度を測定するシース型温度計と、
該動物の前記しっぽに装着されるコイルばねであって、前記シース型温度計の前記挿入される領域よりも基端側の所定の位置に、しっぽ根元側となる端部が連結されるコイルばねと、
よりなることを特徴とする動物腸内温度測定装置。
【請求項２】
前記コイルばねの前記しっぽ根元側となる端部が、前記シース型温度計の前記挿入される領域に隣接する肛門出口部を臨む位置に連結される請求項１記載の動物腸内温度測定装置。
【請求項３】
前記シース型温度計とコイルばねとは、前記シース型温度計の少なくとも連結位置における中心軸と前記コイルばねの巻き中心軸とが互いに所定距離だけ離れて略平行となるように連結される請求項１又は２記載の動物腸内温度測定装置。
【請求項４】
前記コイルばねの前記しっぽ根元側となる端部が、シース型温度計のシース外面に沿うように屈曲形成されており、
シース型温度計と前記屈曲形成された端部の双方を内装する連結スリーブが設けられ、
該連結スリーブを介して双方が固定される請求項１〜３の何れか１項に記載の動物腸内温度測定装置。
【請求項５】
前記シース型温度計の挿入側の先端部が円形に１周以上屈曲されている請求項１〜４の何れか１項に記載の動物腸内温度測定装置。
【請求項６】
前記円形に屈曲された先端部に、該円形の先端部を包み込む樹脂被覆層が設けられている請求項５記載の動物腸内温度測定装置。
【発明の詳細な説明】
【技術分野】
【０００１】
本発明は、マウス等のしっぽを有する動物の腸内温度を測定する装置に係り、特に動物が歩き回っている状態においても腸内温度を安全かつ確実に精度よく測定できる動物腸内温度測定装置に関する。
【背景技術】
【０００２】
従来、動物が動き回っている状態で腸内の温度を測定できる装置としては、例えば、先端部に温度センサを内装してなる動物体温測定用の温度計（プローブ）に、動物のしっぽに装嵌する有端環状の剛性バンドと該バンドの両端部に歯を有する係合片とからなる固定具を設けたもの、同じく動物のしっぽに取り付けるための輪ゴムを設けたもの、同じく動物のしっぽに取り付けるための、弾性包帯両端に面ファスナーを備えた固定バンドを設けたものが提案されている（特許文献１参照）。
【０００３】
しかしながら、これら固定具や輪ゴム、固定バンドは、しっぽの長さ方向のある部分を局所的に締め付けるようにして取り付けるものであるため、しっぽが毛深い動物であればよいが、そうでない動物の場合には締め付け力を強めないとしっぽ先端側へ容易に移動してしまい、これに伴い温度計も徐々に抜け方向に移動し、正確で精度のよい測定ができないという問題がある。
【０００４】
他方、温度計の抜けを防止するべく、上記固定具や輪ゴム、固定バンドによる締め付け力を高めると、しっぽが圧迫され、動物に与える違和感や痛みが増し、暴れて体温が上昇したり、最悪、プローブが腸を破いてしまうといった安全性の問題がある。特に、上記係合片を有する固定具は重量も増えてしまい、動物にとって違和感が増す。
【先行技術文献】
【特許文献】
【０００５】
【特許文献１】実用新案登録第２５８３３８５号公報（図１−図６）
【発明の概要】
【発明が解決しようとする課題】
【０００６】
そこで、本発明が前述の状況に鑑み、解決しようとするところは、しっぽが毛深くない動物であっても、過度に締め付けることなく、温度計を腸内の定位置にしっかりと保持することができ、動物に与える違和感や痛みを抑えつつ、正確で精度のよい測定を安全に行うことができる動物腸内温度測定装置を提供する点にある。
【課題を解決するための手段】
【０００７】
本発明は、以下の発明を包含する。
（１）  しっぽを有する動物の肛門から腸内に先端側の測温部が挿入され、腸内温度を測定するシース型温度計と、該動物の前記しっぽに装着されるコイルばねであって、前記シース型温度計の前記腸内に挿入される領域よりも基端側の所定の位置に、しっぽ根元側となる端部が連結されるコイルばねと、よりなることを特徴とする動物腸内温度測定装置。ここに「連結される」とは、かしめやはんだ付け等で着脱不能に固定されることを含む。
【０００８】
（２）  前記コイルばねの前記しっぽ根元側となる端部が、前記シース型温度計の前記腸内に挿入される領域に隣接する肛門出口部を臨む位置に連結される（１）記載の動物腸内温度測定装置。
【０００９】
（３）  前記シース型温度計とコイルばねとは、前記シース型温度計の少なくとも連結位置における中心軸と前記コイルばねの巻き中心軸とが互いに所定距離だけ離れて略平行となるように連結される（１）又は（２）記載の動物腸内温度測定装置。
【００１０】
（４）  前記コイルばねの前記しっぽ根元側となる端部が、シース型温度計のシース外面に沿うように屈曲形成されており、シース型温度計と前記屈曲形成された端部の双方を内装する連結スリーブが設けられ、該連結スリーブを介して双方が固定される（１）〜（３）の何れかに記載の動物腸内温度測定装置。
【００１１】
（５）  前記シース型温度計の挿入側の先端部が円形に１周以上屈曲されている（１）〜（４）の何れかに記載の動物腸内温度測定装置。
【００１２】
（６）  前記円形に屈曲された先端部に、該円形の先端部を包み込む樹脂被覆層が設けられている（５）記載の動物腸内温度測定装置。
【発明の効果】
【００１３】
以上にしてなる本願発明に係る動物腸内温度測定装置によれば、腸内に挿入されたシース型温度計の基端側の所定位置を動物のしっぽに装着されるコイルばねにより支持するため、コイルばねが動物のしっぽに対して局所的で過度な締め付け力を与えることなく、ばね全長にわたるトータルの締め付け力によってしっぽをソフトにかつしっかりと掴み、しっぽが動いても長さ方向にずれることなくシース型温度計の先端側の測温部を腸内の定位置にしっかりと保持する。すなわち、動物に与える違和感や痛みを抑えつつ、正確で精度のよい測定を安全に行うことができる。
【００１４】
より詳しくは、本発明のようにコイルばねを用いることで、コイルばね全長にわたって締め付け力が生じ、局所的には小さな締め付け力でもトータルの締め付け力で上記のとおりしっぽをしっかり掴むことができる。また、しっぽが毛深くない動物の場合でも薄い毛がコイルばねの全長にわたって線間の隙間に位置することで、トータルで大きな抵抗が生じ、コイルばねのしっぽ先端方向への移動を阻止することとなる。
【００１５】
また、このようなコイルばねは簡易な構造であるため軽量化が可能であり、また、しっぽの動きに追従する可撓性（変形容易性）も持たせることができ、動物に与える違和感や痛みを抑えることができる。したがって、動物が暴れて体温が上昇したり腸への負荷、最悪破れなどの発生を未然に防ぐことができ、安全に体温測定を行うことが可能となる。
【００１６】
また、このようなコイルばねはしっぽへの装着も容易である。例えば、シース型温度計が連結された状態でシース型温度計が腸内に挿入された後、しっぽ周りでコイルばねを回転させることでしっぽに巻き付け、装着することができる。また、シース型温度計が連結されたコイルばねの内部にしっぽを先端側から通しつつ、シース型温度計を腸内に挿入することもできる。その他、コイルばねの一部のみしっぽを通しておき、他の部分はシース型温度計の挿入後に巻き付けるように装着するなど、状況に応じて種々の方法が可能となる。
【００１７】
また、前記コイルばねの前記しっぽ根元側となる端部が、前記シース型温度計の前記挿入される領域に隣接する肛門出口部を臨む位置に連結されるものでは、当該連結部が肛門出口部に当接することでシース型温度計の挿入しすぎを未然に防止するストッパーとして機能し、適切な位置での温度測定を安定して行うことが可能となる。
【００１８】
また、前記シース型温度計とコイルばねとが、前記シース型温度計の少なくとも連結位置における中心軸と前記コイルばねの巻き中心軸とが互いに所定距離だけ離れて略平行となるように連結されるものでは、コイルばねがしっぽに装着された状態でシース型温度計を腸内で自然な位置に保持でき、特に肛門付近に与える違和感を大幅に解消することが可能となる。所定距離とは、例えばしっぽ根元中心から肛門中心までの距離など、動物に応じて最適な距離を設定すればよい。このような所定距離を適宜設定することで、コイルばねをしっぽに装着する際に、すでに腸内に挿入済みのシース型温度計が大きく動いてしまうことを回避でき、装着作業を容易に行うことも可能となる。
【００１９】
また、前記コイルばねの前記しっぽ根元側となる端部が、シース型温度計のシース外面に沿うように屈曲形成されており、シース型温度計と前記屈曲形成された端部の双方を内装する連結スリーブが設けられ、該連結スリーブを介して双方が固定されるものでは、別途シース外周面に突出するストッパーを設けることなく当該連結スリーブが腸内への挿入を規制するストッパーとして機能させることができ、効率のよい構造でコスト削減できるとともに、このような連結スリーブを用いることでコイルばねの上記屈曲形成された端部をシース外周面上に確実かつ安定した状態に固定することができ、当該固定の作業性も容易となる。
【００２０】
また、前記シース型温度計の挿入側の先端部が円形に１周以上屈曲されているものでは、シース型温度計を腸内に挿入する際に当該シース型温度計の先端が腸内を傷つけてしまうことを未然に回避でき、挿入後の抜け防止としても機能する。
【００２１】
特に、前記円形に屈曲された先端部に、該円形の先端部を包み込む樹脂被覆層が設けられているものでは、上記腸内を傷付ける虞をより確実に回避できるとともに、円形に屈曲した内側に汚れが堆積することを防止できることから、メンテナンス・再利用もより容易になる。
【図面の簡単な説明】
【００２２】
【図１】本発明の代表的実施形態に係る動物腸内温度測定装置の全体構成を示す説明図。
【図２】同じく動物腸内温度測定装置の要部を示す説明図。
【図３】同じく動物腸内温度測定装置を動物に装着した状態を示す説明図。
【図４】（ａ）は同じく動物腸内温度測定装置を構成するシース型温度計の先端部を軸方向から見た要部の説明図、同じく側方から見た要部の説明図。
【図５】同じく動物腸内温度測定装置をゲージ内の動物に装着した状態を示す説明図。
【発明を実施するための形態】
【００２３】
次に、本発明の実施形態を添付図面に基づき詳細に説明する。
【００２４】
本発明に係る動物腸内温度測定装置１は、図１及び図２に示すように、シース型温度計２とコイルばね３とより構成されている。シース型温度計２は、図３に示すように、しっぽ９１を有する動物９の肛門９０から腸内９２に先端側の測温部２０が挿入され、腸内温度を測定する。金属シースの内部にマグネシア等の無機絶縁物を介して熱電対線や測温抵抗体が内装されたシース熱電対や測温抵抗体などを好適に用いることができる。本例では、図１に示すように、先端側に測温部２０を有するシース熱電対や測温抵抗体よりなるシースケーブル８と、その基端側に接続スリーブ５を介して接続ケーブル６（熱電対の場合は補償導線）を接続した構成であるが、これに何ら限定されるものではない。
【００２５】
シース外径は測温対象である動物９の腸内９２のサイズに応じたものに適宜設定される。例えば、動物９がマウスの場合、外径φ０．２５ｍｍの細型のシースケーブルよりなるシース熱電対を用いることができる。このようなシースケーブルは十分な可撓性を有し、図５のようにゲージ７内部の動物９の動きに追従して変形することができる。
【００２６】
コイルばね３は、図２及び図３に示すように、動物９のしっぽ９１に装着され、シース型温度計２の前記腸内９２に挿入される領域Ｒ１よりも基端側の所定の位置２１に、しっぽ根元側となる一端側のばね端部３１が連結されている。ばねの線径や長さ、材質、巻き径などは、測温対象の動物のしっぽの形状、寸法に応じて、適宜設定される。
【００２７】
コイルばね３の形状についても、図示したものは巻きの軸中心に沿って同径巻きのストレート状のコイルばねとしたが、コイルばねのしっぽ先端方向への移動をより確実に阻止するべく、テーパー状に巻き径が変化する形状、例えば動物のしっぽの形状に応じて、しっぽ根元側からしっぽ先端側に向けて次第に巻き径が小さくなるような形状や、段階的に巻き径が変化する形状、しっぽ先端側の一巻き又は数巻きのみ小径にした形状など、種々の形状に設定することができる。
【００２８】
ばね端部３１のシース型温度計２との連結部４は、当該ばね端部３１をシース型温度計２のシースケーブル８外周面にはんだ付けやろう付けにより固定したものや、かしめ止めにより固定したものなど、着脱不能に固定するもの以外に、ネジや係止具で着脱可能に固定するものも含まれる。本例では、後述するように連結スリーブ４０を用いて互いに固定されている。
【００２９】
連結部４の連結位置２１は、肛門出口部よりも外側に離れている位置でもよいが、離れた位置とする場合には、好ましくは腸内へのシース型温度計２の挿入しすぎを防止するため、別途ストッパーとしての突起がシースケーブル８外周に突設される。離れすぎるとしっぽの動きによって腸内のシースケーブル８が動きやすくなり、動物に違和感を与えてしまう。
【００３０】
本実施形態では、連結位置２１として、図３に示すように、シース型温度計２における腸内９２に挿入される領域Ｒ１に隣接する肛門を臨む位置２１とされている。より具体的には、ばね端部３１がシース型温度計２のシースケーブル８の外周面に沿うように屈曲形成され、当該屈曲形成された端部３１とシースケーブル８の双方を内装する連結スリーブ４０が設けられている。
【００３１】
この連結スリーブ４０の肛門を臨む端面が挿入時に肛門出口部に当止することでストッパーとして機能する。この端面とシース型温度計の先端までの距離が腸内に挿入される領域Ｒ１となる。挿入長、すなわち領域Ｒ１の軸方向長さは、本例では１５ｍｍ程度とされているが、対象とする動物に応じて適宜設定される。
【００３２】
連結スリーブ４０には両端からはんだが充填され、ばね端部３１とシースケーブル８とが連結スリーブ４０及びはんだを介して固定されている。はんだの代わりに連結スリーブ４０をかしめることでばね端部３１及びシースケーブル８を当該連結スリーブ４０を介して固定したものも好ましい。シース型温度計２の少なくとも連結位置２１における中心軸ｃ１とコイルばね３の巻き中心軸ｃ２とが互いに所定距離だけ離れて略平行となるように連結されている。
【００３３】
シース型温度計２の挿入側の先端部２２は、図４に示すように、円形に１周以上屈曲されている。また、円形に屈曲された先端部２２には、該円形の先端部２２を包み込む樹脂被覆層２３が設けられている。このような扁平円板状の先端部２２は、同径の球状としたものに比べて腸内に挿入しやすく、動物に与える違和感を少なくできるとともに抜けにくい形状となる。
【００３４】
本発明に係る動物腸内温度測定装置１の使用方法は、まずシース型温度計２の先端側から動物９の腸内へ所定の深さ位置まで挿入する。当該深さは、連結スリーブ４０の端面が肛門出口部に当止することで確認できる。次に、動物９に対して連結部４を動かさないように保持しつつ、コイルばね３をしっぽ９１の周りに回すようにして巻き付け、装着する。
【００３５】
次に、シースケーブル８の連結部４よりシース基端側に延びる部分を、動物９のゲージ７上方に向けて斜め上方向に曲げて伸ばし、図３に示すようにコイルばね３のしっぽ先端側の他端３２のあたりに引っ掛け、そのままゲージ７の上面側まで伸ばし、図５に示すように当該上面位置からシース型温度計２の基端側を当該ゲージ外に延出させる。このようにシースケーブル８の基端側をゲージ上方に配することで、動物９が比較的自由に動けるようにされている。本例ではコイルばね３の他端３２あたりとしっぽ９１との間にシースケーブル８を挟み込んでいるが、他端３２の部分を屈曲させてシースケーブル８を挟み込むようにかしめて係合したものも好ましい。
【００３６】
図５に示すように、本例では、シースケーブル８と基端側の接続ケーブル６とを接続している接続スリーブ５が、固定部材７０によりゲージ７の上面位置に固定されており、ゲージ７内部にはシースケーブル８のみ存在する。したがって、動物９がシース型温度計２を噛んだりしても問題ない。固定部材７０は種々の構造が可能である。シースケーブルを回転可能に保持するようにすれば動物の動きの自由度がより向上する。本例ではゲージ７の上面に固定しているが側面の上方位置でも同様の効果が得られる。
【００３７】
尚、動物への装着は、コイルばね３の内部にしっぽを先端側から通しつつ、シース型温度計２を腸内に挿入することもできる。その他、コイルばねの一部のみしっぽを通しておき、他の部分はシース型温度計の挿入後に巻き付けるように装着するなど、状況に応じて種々の方法が可能である。また、連結部４が着脱可能な固定形態であれば、シース型温度計２の腸内への挿入とコイルばね３のしっぽへの装着を完全独立に行うことができる。
【００３８】
本実施形態では、動物９が動いているときに測定できることを前提にシースケーブル８をゲージ上方に配する等しているが、本発明の動物腸内温度測定装置は動物が寝ている間に測定するように使用することも勿論可能である。本発明の動物腸内温度測定装置の使用対象となる動物は、ラット、マウス、モルモット、ウサギ、犬など、しっぽを有する動物全般が対象になる。特に、動いている状態で直腸温度を正確に測定する必要があるラット、マウス等の実験用小動物用として好適である。
【００３９】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００４０】
１  動物腸内温度測定装置
２  シース型温度計
３  コイルばね
４  連結部
５  接続スリーブ
６  接続ケーブル
７  ゲージ
８  シースケーブル
９  動物
２０  測温部
２１  位置
２２  先端部
２３  樹脂被覆層
３１  端部
３２  他端
４０  連結スリーブ
７０  固定部材
９０  肛門
９１  しっぽ
９２  腸内
ｃ１、ｃ２  中心軸
Ｒ１  領域
【図１】
2018088857.tif 000003
【図２】
2018088857.tif 000004
【図３】
2018088857.tif 000005
【図４】
2018088857.tif 000006
【図５】
2018088857.tif 000007